(57)【要約】      （修正有）【課題】握り玉式のドアノブをレバー式のドアノブへと容易に変更することができるドアノブ用アタッチメントを提供する。【解決手段】既設の握り玉式のドアノブ２０に取り付けて使用するドアノブ用アタッチメント１０を、握り玉式のドアノブ２０の外周部に取り付けられる取り付け基部１１と、取り付け基部１１から外方に突出して設けられたレバー状操作部１２とを備えたものとした。このドアノブ用アタッチメント１０を既設の握り玉式のドアノブ２０に取り付けることによって、そのドアノブ２０をレバー式のものへと変更することができる。【選択図】図２
0003227125.tif 000002
【実用新案登録請求の範囲】
【請求項１】
既設の握り玉式のドアノブに取り付けて使用するドアノブ用アタッチメントであって、
握り玉式のドアノブの外周部に取り付けられる取り付け基部と、
取り付け基部から外方に突出して設けられたレバー状操作部と
を備え、
握り玉式のドアノブに取り付けることによって、当該ドアノブをレバー式のドアノブへと変更できるようにしたことを特徴とするドアノブ用アタッチメント。
【請求項２】
取り付け基部が、
握り玉式のドアノブの外周部を包む開環状部と、
開環状部を締め付けて縮径させる締め付け手段と
で構成された請求項１記載のドアノブ用アタッチメント。
【請求項３】
握り玉式のドアノブに対して開環状部が滑らないようにするための滑り止め部材が、開環状部の内周部に設けられた請求項２記載のドアノブ用アタッチメント。
【請求項４】
レバー状操作部が、
取り付け基部から外方に延びるレバー基部と、
レバー基部の先端に設けられた側面視Ｌ字状を為すレバー鉤部と
で構成された請求項１〜３いずれか記載のドアノブ用アタッチメント。
【請求項５】
レバー基部に対するレバー鉤部の向きを反転できる構造とされた請求項４記載のドアノブ用アタッチメント。
【考案の詳細な説明】
【技術分野】
【０００１】
本考案は、既設の握り玉式のドアノブに取り付けてレバー式のドアノブへと変更するドアノブ用アタッチメントに関する。
【背景技術】
【０００２】
ドアノブとしては、握り玉式のもの（例えば、特許文献１を参照。）が知られている。しかし、握り玉式のドアノブは、掌で掴んで操作する必要がある。このため、握り玉式のドアノブには、感染症の原因となるウイルスや細菌が付着しやすい。したがって、握り玉式のドアノブを介して感染症が広がるおそれがある。
【０００３】
また、ドアノブとしては、レバー式のもの（例えば、特許文献２を参照。）も知られている。レバー式のドアノブは、掌で掴まなくても、腕や肘で押し下げて操作することができる。このため、レバー式のドアノブは、握り玉式のドアノブよりも、感染症を媒介するリスクを低減することができる。
【０００４】
このような事情から、握り玉式のドアノブをレバー式のドアノブに交換したいと考える家庭や事業所も多い。しかし、そのためには、既設の握り玉式のドアノブをドアパネルから取り外し、レバー式のドアノブを新たに取り付ける必要がある。場合によっては、ドアパネル自体に改造を施さなければならないこともある。このように、ドアノブの交換には、手間やコストを要する。加えて、ドアノブの交換は、素人では難しく、専門業者を呼ばなければならない場合も多い。
【先行技術文献】
【特許文献】
【０００５】
【特許文献１】実開昭６０−１７４７５５号公報
【特許文献２】実登第３１３４８３６号公報
【考案の概要】
【考案が解決しようとする課題】
【０００６】
本考案は、上記課題を解決するために為されたものであり、握り玉式のドアノブをレバー式のドアノブへと容易に変更できるドアノブ用アタッチメントを提供するものである。
【課題を解決するための手段】
【０００７】
上記課題は、
既設の握り玉式のドアノブに取り付けて使用するドアノブ用アタッチメントであって、
握り玉式のドアノブの外周部に取り付けられる取り付け基部と、
取り付け基部から外方に突出して設けられたレバー状操作部と
を備え、
握り玉式のドアノブに取り付けることによって、当該ドアノブをレバー式のドアノブへと変更できるようにしたことを特徴とするドアノブ用アタッチメント
を提供することによって解決される。
【０００８】
これにより、既設の握り玉式のドアノブをドアパネルから取り外さなくても、そのドアノブに本考案のドアノブ用アタッチメントを被せた状態で取り付けるだけで、そのドアノブをレバー式のものへと変更することができる。このため、ドアパネルに改造を施す必要がなく、素人でも容易に握り玉式のドアノブをレバー式のドアノブへと変更することが可能になる。したがって、それに伴う手間やコストを大幅に削減することができる。よって、ドアノブに潜む感染症リスクを手軽な対策で低減することも可能になる。
【０００９】
本考案のドアノブ用アタッチメントにおいては、
その取り付け基部を、
握り玉式のドアノブの外周部を包む開環状部と、
開環状部を締め付けて縮径させる締め付け手段と
で構成されたものとすることが好ましい。
【００１０】
これにより、握り玉式のドアノブの外径が変わっても、そのドアノブに対して、本考案のドアノブ用アタッチメントにおける取り付け基部を、相対的に動かない状態でしっかりと取り付けることが可能になる。このため、ドアノブ用アタッチメントの汎用性を高めることができる。加えて、専門知識のない素人でも、ドアノブ用アタッチメントの取り付け作業を直感的に行うことができるようになる。
【００１１】
本考案のドアノブ用アタッチメントにおいて、上記の開環状部を取り付け基部に設ける場合には、握り玉式のドアノブに対して開環状部が滑らないようにするための滑り止め部材を、開環状部の内周部に設けることが好ましい。これにより、握り玉式のドアノブに対して、ドアノブ用アタッチメントの取り付け基部を、より動きにくい状態でしっかりと取り付けることが可能になる。
【００１２】
本考案のドアノブ用アタッチメントにおいては、
レバー状操作部を、
取り付け基部から外方に延びるレバー基部と、
レバー基部の先端に設けられた側面視Ｌ字状を為すレバー鉤部と
で構成されたものとすることが好ましい。
【００１３】
というのも、レバー状操作部が、真っ直ぐに延びた棒状のものである場合には、レバー状操作部を腕や肘で押し下げることはできても、その押し下げたレバー状操作部を手前側に引くことが難しい。このため、ドアパネルが引き戸になっている場合には、腕や肘による操作のみではドアパネルを開けにくく、レバー状操作部を掌で掴まなければならなくなる事態も生じる。この点、上記のように、レバー状操作部に側面視Ｌ字状のレバー鉤部を設けることによって、腕や肘で押し下げたレバー状操作部をその腕や肘で手前側に引くことができるようになる。したがって、ドアパネルが引き戸の場合でも、レバー状操作部を掌で掴むことなく、ドアパネルを開くことが可能になる。
【００１４】
本考案のドアノブ用アタッチメントにおいて、上記のレバー基部及びレバー鉤部を設ける場合には、レバー基部に対するレバー鉤部の向きを反転できる構造とすることが好ましい。というのも、ドアパネルの表側と裏側とでは、レバー鉤部の前後方向での向きを逆にする必要があるところ、上記の構造を採用することによって、同じドアパネル用アタッチメントを、ドアパネルの表側と裏側のいずれのドアノブに対しても適切に取り付けることができるようになるからである。
【考案の効果】
【００１５】
以上のように、本考案によって、握り玉式のドアノブをレバー式のドアノブへと容易に変更できるドアノブ用アタッチメントを提供することが可能になる。
【図面の簡単な説明】
【００１６】
【図１】本考案のドアノブ用アタッチメントを示した斜視図である。
【図２】本考案のドアノブ用アタッチメントを既設の握り玉式のドアノブに対して取り付けた状態を示した斜視図である。
【図３】本考案のドアノブ用アタッチメントを腕で操作している様子を撮影した写真である。
【考案を実施するための形態】
【００１７】
本考案のドアノブ用アタッチメントの好適な実施形態について、図面を用いてより具体的に説明する。以下で述べる内容は、飽くまで一例に過ぎない。本考案のドアノブ用アタッチメントには、本考案の趣旨を逸脱しない範囲で適宜変更を施すことができる。
【００１８】
０．ドアノブ用アタッチメントの概要
図１は、本考案のドアノブ用アタッチメント１０を示した斜視図である。図２は、本考案のドアノブ用アタッチメント１０を既設の握り玉式のドアノブ２０に対して取り付けた状態を示した斜視図である。本考案のドアノブ用アタッチメント１０は、図１に示すように、取り付け基部１１と、取り付け基部１１から外方に突出して設けられたレバー状操作部１２とを備えている。取り付け基部１１は、図２に示すように、握り玉式のドアノブ２０の外周部に対して取り付ける部分となっている。このように、既設の握り玉式のドアノブ２０に本考案のドアノブ用アタッチメント１０を被せた状態で取り付けるだけで、そのドアノブ２０をレバー式のものへと容易に変更することができる。
【００１９】
１．取り付け基部
取り付け基部１０は、握り玉式のドアノブ２０の外周部に対して動かない状態で取り付けることができるものであれば、特に限定されない。本実施形態のドアノブ用アタッチメント１０において、取り付け基部１１は、図１に示すように、開環状部１１ａと、締め付け手段１１ｂとを備えたものとしている。開環状部１１ａの内周部には、滑り止め部材１１ｃが設けられている。
【００２０】
開環状部１１ａは、金属等からなる帯状部材を、断面Ｃ字状を為すように湾曲させた部分となっている。この開環状部１１ａは、図２に示すように、握り玉式のドアノブ２０の外周部を包む状態でドアノブ２０に外嵌される。開環状部１１ａは、完全に閉じた環状ではなく、その一部に切れ目を有している。このため、ドアノブ２０の外径がある程度大きくても、開環状部１１ａを弾性変形させて広げた状態とすることで、そのドアノブ２０に外嵌させることができるようになっている。
【００２１】
締め付け手段１１ｂは、握り玉式のドアノブ２０に外嵌させた開環状部１１ａを締め付けて縮径させるものとなっている。この締め付け手段１１ｂを締め付けることによって、開環状部１１ａがドアノブ２０の外周部をしっかりと把持した状態とし、取り付け基部１１をドアノブ２０に対して動かないように固定することが可能となっている。また、ドアノブ２０の外径がある程度小さくても、開環状部１１ａを弾性変形させて縮径させることで、そのドアノブ２０にしっかりと固定することも可能となっている。
【００２２】
締め付け手段１１ｂは、上記の機能を発揮するものであれば、その種類を特に限定されない。本実施形態のドアノブ用アタッチメント１０においては、図１及び図２に示すように、締め付け手段１１ｂを、ネジとナットとで構成している。ナットを一の方向に回転させてネジの頭部側に移動させると、開環状部１１ａが縮径してドアノブ２０を締め付けた状態となり、ナットを他の方向に回転させてネジの先端側に移動させると、開環状部１１ａが拡径してドアノブ２０に対して緩んだ状態となるようになっている。
【００２３】
滑り止め部材１１ｃは、握り玉式のドアノブ２０に対して開環状部１１ａが滑らないようにするためのものとなっている。既に述べたように、本実施形態のドアノブ用アタッチメント１０においては、開環状部１１ａを金属等によって形成したところ、ドアノブ２０も、通常、金属等によって形成される。加えて、開環状部１１ａの内周形状と、握り玉式のドアノブ２０の外周形状は、いずれも略円形を為している。このため、締め付け手段１１ｂをしっかりと締め付けたとしても、後述するレバー状操作部１２を操作する際に、ドアノブ２０の外周部に対して開環状部１１ａが滑り、ドアノブ２０が上手く回らなくなるおそれがある。この点、滑り止め部材１１ｃを設けたことによって、ドアノブ２０の外周部に対して開環状部１１ａが滑らないようにし、レバー状操作部１２に加えられた力をドアノブ２０にロスなく伝えることが可能となっている。
【００２４】
滑り止め部材１１ｃの素材は、特に限定されないが、通常、金属よりも摩擦係数が大きなものが選択される。例えば、ゴムやエラストマー等を好適に採用することができる。より具体的には、合成ゴム、天然ゴム、熱可塑性スチレンブタジエンゴム（ＳＢＳ）、スチレン系熱可塑性エラストマー（ＳＩＳ）、エチレン酢酸ビニル共重合体（ＥＶＡ）、ポリウレタン及びポリ塩化ビニルからなる群から選ばれた１種類又は複数種類の弾性重合体と、ゴム配合剤とからなるものを好適に採用することができる。これにより、滑り止め部材１１ｃに、滑り止め機能だけでなく、緩衝機能も付与し、開環状部１１ａの締め付けによってドアノブ２０が傷つかないようにすることも可能になる。
【００２５】
滑り止め部材１１ｃの内周部は、凹凸のない形状としてもよい。しかし、本実施形態のドアノブ用アタッチメント１０においては、図１に示すように、滑り止め部材１１ｃの内周部に、Ｖ字状を為す多数の滑り止め突起を形成している。これにより、ドアノブ２０の外周部に対して開環状部１１ａをより滑りにくくすることが可能となっている。
【００２６】
２．レバー状操作部
レバー状操作部１２は、腕や肘で操作するための部分となっている。本実施形態のドアノブ用アタッチメント１０においては、図１に示すように、レバー状操作部１２を、取り付け基部１１から外方に延びるレバー基部１２ａと、レバー基部１２ａの先端に設けられたレバー鉤部１２ｂとで構成している。
【００２７】
レバー基部１２ａは、金属等からなる帯状部材によって形成している。図１に示した例では、取り付け基部１１における開環状部１１ａの一方の端部を延長することによって、レバー基部１２ａを設けている。一方、レバー鉤部１２ｂは、金属等からなる帯状部材を側面視Ｌ字状を為すように屈曲させたものとなっており、互いに略垂直な第一部分１２ｂ１と第二部分１２ｂ２とを有している。第一部分１２ｂ１は、腕や肘で押し下げて操作するための部分となっており、第二部分１２ｂ２は、腕や肘を手前側（操作者側）に引っ張るための部分となっている。この第二部分１２ｂ２を設けたことによって、ドアノブ用アタッチメント１０を取り付けたドアノブ２０が引き戸のものであっても、ドアノブ用アタッチメント１０やドアノブ２０を掌で掴むことなく、その引き戸（ドアパネル）を手前側に開くことが可能となっている。
【００２８】
レバー状操作部１２におけるレバー基部１２ａとレバー鉤部１２ｂは、一体的に形成してもよい。しかし、ドアパネルの表側のドアノブ２０に取り付けるドアパネル用アタッチメント１０と、ドアパネルの裏側のドアノブ２０に取り付けるドアパネル用アタッチメント１０は、ドアパネルに対して面対称となるように取り付ける必要がある。また、ドアパネルには、ドアノブ２０が左側に付いているものと右側に付いているものとがあるところ、ドアパネルの左側のドアノブ２０にドアノブ用アタッチメント１０を取り付ける場合には、レバー状操作部１２のレバー基部１２ａを右向きとする必要があり、ドアパネルの右側のドアノブ２０にドアノブ用アタッチメント１０を取り付ける場合には、レバー状操作部１２のレバー基部１２ａを左向きとする必要がある。この点、レバー基部１２ａとレバー鉤部１２ｂとが一体的に形成されていると、ドアノブ用アタッチメント１０を複数種類用意しなければ、上記のような状況に対応できなくなる。
【００２９】
この点、本実施形態のドアノブ用アタッチメント１０では、レバー基部１２ａとレバー鉤部１２とを別部材によって形成しており、これらを固定手段１３によって互いに固定する構造としている。この固定手段１３を取り外してレバー基部１２ａに対するレバー鉤部１２ｂの向きを反転させ、固定手段１３によってレバー基部１２ａに対してレバー鉤部１２ｂを再度固定することによって、レバー鉤部１２ｂの向きを変更することができるようになっている。このため、ドアパネルの表側と裏側とのいずれのドアノブ２０にドアノブ用アタッチメント１０を取り付けるか、ドアパネルの左側と右側とのいずれのドアノブ２０にドアノブ用アタッチメント１０を取り付けるか等、ドアノブ用アタッチメント１０の取り付け状況が変わっても、１種類のドアノブ用アタッチメント１０だけでその全ての取り付け状況に対応することが可能となっている。固定手段１３は、その種類を特に限定されない。本実施形態のドアノブ用アタッチメント１０においては、固定手段１３を２本のボルトとしている。
【００３０】
３．使用例
図３は、本考案のドアノブ用アタッチメント１０を腕で操作している様子を撮影した写真である。図３に示すように、既存の握り玉式のドアノブ２０に本考案のドアノブ用アタッチメント１０を取り付けると、ドアノブ２０等を掌で掴まなくても、レバー状操作部１２を腕や肘で押し下げることによって、ドアノブ２０を回し、ドアパネルを開くことができる。加えて、ドアパネルが引き戸の場合であっても、レバー鉤部１２ｂにおける第二部分１２ｂ２を腕や肘で手前側（操作者側）に引っ張ることで、そのドアパネルを開くことが可能である。
【００３１】
このように、本考案のドアノブ用アタッチメント１０は、掌で掴むことなくドアノブ２０を回し、ドアパネルを開くことができるものであるため、ドアノブ２０やドアノブ用アタッチメント１０へのウイルスや細菌の付着を防止することができる。また、万が一、ドアノブ２０やドアノブ用アタッチメント１０にウイルスや細菌が付着していた場合であっても、そのウイルスや細菌が操作者の掌に付着しないようにすることができる。したがって、ドアノブ２０を媒介した感染症の拡大を防止することが可能である。
【００３２】
さらに、本考案のドアノブ用アタッチメント１０によって、既設の握り玉式のドアノブ２０をドアパネルから取り外さなくても、そのドアノブ２０をレバー式のものへと変更できるため、とても経済的である。加えて、本考案のドアノブ用アタッチメント１０は、その取り付けも容易で直感的に行うことができるものとなっている。このため、専門業者でなくても、本考案のドアノブ用アタッチメント１０をドアノブ２０に容易に取り付けることができる。さらにまた、本考案のドアノブ用アタッチメント１０は、ドアノブ２０の外径や配置等が変わっても、１種類のドアノブ用アタッチメント１０で対応できる等、汎用性が高いものとなっている。
【符号の説明】
【００３３】
１０    ドアノブ用アタッチメント
１１    取り付け基部
１１ａ  開環状部
１１ｂ  締め付け手段
１１ｃ  滑り止め部材
１２    レバー状操作部
１２ａ  レバー基部
１２ｂ  レバー鉤部
１２ｂ１  第一部分
１２ｂ２  第二部分
１３    固定手段
２０    握り玉式のドアノブ（既設のドアノブ）
【図１】
0003227125.tif 000003
【図２】
0003227125.tif 000004
【図３】
0003227125.tif 000005